(57)【要約】【課題】ストッカを引き出す際、ストッカが内扉に干渉するのを防止することができ、自動販売機本体内の奥行き方向におけるデッドスペースを減少することが可能な自動販売機の内扉の取付構造を提供する。【解決手段】内扉１１が内扉用ヒンジ装置１６で自動販売機本体４に回転自在に結合され、内扉用ヒンジ装置１６はヒンジ軸２２を中心に回転自在な扉側取付部材２１を有し、扉側取付部材２１の回転半径方向Ｃと内扉１１の厚み方向Ｄとが同方向になるようにして、内扉１１が扉側取付部材２１に取付けられ、扉側取付部材２１は、回転半径方向Ｃにおいて伸縮自在に構成され、ばね２９によって短縮する方向に付勢されている。【選択図】図６
2009015402.tif 000002
【特許請求の範囲】
【請求項１】
自動販売機本体の内部に、商品を収納可能な商品収納体が設けられ、
自動販売機本体の前面に扉体が設けられ、
扉体は同方向に開閉自在な外扉と内扉とを有する自動販売機の内扉の取付構造であって、
内扉は一端部をヒンジ装置で自動販売機本体に回転自在に結合され、
ヒンジ装置はヒンジ軸を中心に回転自在な扉側取付部材を有し、
扉側取付部材の回転半径方向と内扉の厚み方向とが同方向になるようにして、内扉が扉側取付部材に取り付けられ、
扉側取付部材は回転半径方向において伸縮自在に構成されていることを特徴とする自動販売機の内扉の取付構造。
【請求項２】
外扉と内扉とを開いた状態で商品収納体が手前側に出し入れ可能に構成されていることを特徴とする請求項１記載の自動販売機の内扉の取付構造。
【請求項３】
ヒンジ装置は、自動販売機本体に取り付けられるケース側取付部材と、扉側取付部材を短縮させる方向に付勢する付勢手段とを有していることを特徴とする請求項１又は請求項２に記載の自動販売機の内扉の取付構造。
【請求項４】
内扉を閉じた状態で、扉側取付部材が付勢手段の付勢力により回転半径方向において短縮され、
内扉を所定角度まで開く途中で、内扉が所定角度まで開かれた外扉に当接し、内扉と外扉との当接部を支点として、扉側取付部材が付勢手段の付勢力に抗し回転半径方向において伸長することを特徴とする請求項３記載の自動販売機の内扉の取付構造。
【発明の詳細な説明】
【技術分野】
【０００１】
本発明は、自動販売機本体に、商品を収納する商品収納体と外扉と内扉とが設けられ、外扉と内扉とを開いた状態で商品収納体を自動販売機本体から出し入れすることができる自動販売機の内扉の取付構造に関する。
【背景技術】
【０００２】
従来、この種の自動販売機としては、例えば図１２に示すように、四角形や円形等の飲料等の商品１１４を販売するものがある。この自動販売機１００は、前面が開口した箱型の自動販売機本体１０１と、自動販売機本体１０１の前面を開閉する扉体１０２とを有している。自動販売機本体１０１の内部には、冷却又は加温されて外部から遮断されている庫内空間が形成され、この庫内には、複数の商品１１４を収納するストッカ１０３が複数台横並びに配置されている。各ストッカ１０３はそれぞれ、自動販売機本体１０１の内部（庫内）に挿入される収納位置Ａと、自動販売機本体１０１の手前側へ引き出される引き出し位置Ｂとにわたって、前後方向に出し入れ自在に構成されている。
【０００３】
扉体１０２は同方向に開閉自在な外扉１０５と内扉１０６とからなる。内扉１０６は、断熱性能を有しており、冷却又は加温されている庫内の前面を密閉している。
外扉１０５は左右いずれかの一端部を外扉用ヒンジ装置１０８で自動販売機本体１０１の前端部に回転自在に結合されている。これにより、外扉１０５は外扉用ヒンジ装置１０８のヒンジ軸１１１を中心（支点）にして回転して開閉される。
【０００４】
内扉１０６は左右いずれかの一端部を内扉用ヒンジ装置１０９で自動販売機本体１０１の前端部に回転自在に結合されている。内扉用ヒンジ装置１０９は、上下方向のヒンジ軸１０９ａと、内扉１０６の一端部に取り付けられた扉側取付板材１０９ｂと、自動販売機本体１０１の前端部に取り付けられたケース側取付板材１０９ｃとを有している。ヒンジ軸１０９ａは両取付板材１０９ｂ，１０９ｃに挿通されており、扉側取付板材１０９ｂがヒンジ軸１０９ａを中心にしてケース側取付板材１０９ｃに対して回転する。尚、扉側取付板材１０９ｂの回転半径方向Ｃと内扉１０６の厚み方向Ｄとが同方向になるようにして、扉側取付板材１０９ｂは内扉１０６に取り付けられている。
【０００５】
これによると、ヒンジ軸１１１を中心にして外扉１０５を回転させて開き、ヒンジ軸１０９ａを中心にして内扉１０６を回転させて開いた状態で、ストッカ１０３を収納位置Ａから引き出し位置Ｂに引き出す。これにより、ストッカ１０３に商品１１４を側方から充填することができる。
【０００６】
尚、自動販売機１００の据付場所によっては、扉体１０２の開方向側の一側方に壁１１５（又は別の自動販売機）等の障害物が存在することがあり、このような場合でも、両扉１０５，１０６を約９０°まで開いて、ストッカ１０３を引き出し位置Ｂまで確実に引き出すことができるような構造が要求される。このような要求を満たすために、外扉１０５を９０°まで開いた際の外扉１０５の位置が左右外側方へ逃げるように設計されている。
【０００７】
また、自動販売機１００を設置するために必要な設置スペースの全幅寸法Ｔは、外扉１０５の厚さｔａと、内扉１０６の厚さｔｂと、９０°まで開いた内扉１０６寄りのストッカ１０３の側部から自動販売機本体１０１の外側面までの幅ｔｃとを足し合わせたものになる。
【０００８】
尚、自動販売機本体の前面を開閉する外扉と内扉とを有し、内扉が内扉用ヒンジ装置で自動販売機本体に回転自在に結合されている構成は下記特許文献１に記載されている。
【特許文献１】特開平８−１４７５４６号公報
【発明の開示】
【発明が解決しようとする課題】
【０００９】
しかしながら、図１２に示した従来のものでは、外扉１０５を９０°開いた場合、外扉１０５の表面１０５ａ（前面）が自動販売機本体１０１の一側面１０１ａよりも外側方へはみ出し量Ｅだけはみ出すため、自動販売機１００を設置する際、自動販売機本体１０１を壁１１５からはみ出し量Ｅに相当するスペース分だけ離しておく必要があるといった問題がある。
【００１０】
上記のような問題の解決策として、図１３に示すように、９０°開いた場合の外扉１０５の表面１０５ａと自動販売機本体１０１の一側面１０１ａとを同一面上にすることが考えられるが、この場合、内扉１０６が途中で外扉１０５に当接して、内扉１０６を９０°まで開くことができず、ストッカ１０３を引き出す際にストッカ１０３が内扉１０６に干渉して、ストッカ１０３を引き出し位置Ｂまで引き出すことができず、ストッカ１０３の奥寄り箇所に商品１１４を補充できないといった問題が生じる。（尚、図１３に示した外扉１０５とヒンジ軸１１１との位置関係は、主に、缶飲料用の自動販売機に適用されている。）
上記のような問題の対策としては、図１４に示すように、内扉用ヒンジ装置１０９の扉側取付板材１０９ｂの回転半径方向Ｃの長さＬを長くすることが考えられる。これによると、内扉１０６を９０°まで開くことができる。また、図１５に示すように、外扉１０５の厚さｔａと内扉１０６の厚さｔｂと９０°まで開いた内扉１０６から自動販売機本体１０１の外側面までの幅ｔｃとを足し合わせた全幅寸法Ｔを、上記図１２に示した全幅寸法Ｔと同一に保つことができる。さらに、図１５に示すように、自動販売機１００を設置する際、自動販売機本体１０１を壁１１５に添ってぴったりと設置することができ、上記図１２に示すようにはみ出し量Ｅに相当するスペース分だけ離して設置する必要はない。
【００１１】
しかしながら、図１４の仮想線で示すように、内扉１０６を閉じた場合、上記扉側取付板材１０９ｂの長さＬを長くした分（すなわち上記はみ出し量Ｅに相当する分）だけ、自動販売機本体１０１内の奥行き方向（前後方向）におけるデッドスペースＳが増大した。このため、図１２，図１３に示したものと同じ収納能力を有するストッカ１０３を用いようとすると、図１５に示すように、自動販売機本体１０１の奥行寸法を、図１２，図１３に示したものに比べて増加させなければならないという問題がある。
【００１２】
また、上記特許文献１に記載の内扉は、左右一方の分割扉板と他方の分割扉板とに二分割されて相互間を連結用のヒンジ装置で結合された中折れ式であり、これによると、ヒンジ装置の個数が増大しコストアップするといった問題がある。また、内扉を開閉する際、内扉が不用意に中折れして、内扉の開閉がスムーズでないといった問題もある。
【００１３】
本発明は、扉体の開方向側の一側方に壁や別の自動販売機等の障害物が存在するような場合でも、扉体を開けて商品収納体を引き出す際、商品収納体が内扉に干渉するのを防止することができ、自動販売機本体内の奥行き方向におけるデッドスペースを減少することが可能であり、また、ヒンジ装置の個数の増加を防止することができ、内扉の開閉がスムーズな自動販売機の内扉の取付構造を提供することを目的とする。
【課題を解決するための手段】
【００１４】
上記目的を達成するために、本第１発明は、自動販売機本体の内部に、商品を収納可能な商品収納体が設けられ、
自動販売機本体の前面に扉体が設けられ、
扉体は同方向に開閉自在な外扉と内扉とを有する自動販売機の内扉の取付構造であって、
内扉は一端部をヒンジ装置で自動販売機本体に回転自在に結合され、
ヒンジ装置はヒンジ軸を中心に回転自在な扉側取付部材を有し、
扉側取付部材の回転半径方向と内扉の厚み方向とが同方向になるようにして、内扉が扉側取付部材に取り付けられ、
扉側取付部材は回転半径方向において伸縮自在に構成されているものである。
【００１５】
これによると、外扉を所定角度まで開いた後、内扉を開く際、ヒンジ装置の扉側取付部材を伸長させることにより、ヒンジ軸から内扉までの寸法が増大するため、内扉を外扉の裏側に添うような位置まで開くことができる。これにより、内扉を所定角度まで開くことができ、商品収納体を自動販売機本体内から引き出す際、商品収納体が内扉に干渉するのを防止することができる。
【００１６】
また、商品収納体を自動販売機本体内に挿入し、ヒンジ装置の扉側取付部材を短縮して内扉を閉じることにより、従来のように伸縮しないヒンジ装置を用いたものに比べて、自動販売機本体内の奥行き方向におけるデッドスペースが減少する。
【００１７】
また、内扉を二分割して中折れ式にする必要は無いため、ヒンジ装置の個数の増加を防止することができ、コストアップを抑制するとともに内扉の開閉がスムーズに行える。
本第２発明は、外扉と内扉とを開いた状態で商品収納体が手前側に出し入れ可能に構成されているものである。
【００１８】
これによると、内扉を所定角度まで開くことができ、商品収納体を自動販売機本体内から引き出す際、商品収納体が内扉に干渉するのを防止することができる。
本第３発明は、ヒンジ装置は、自動販売機本体に取り付けられるケース側取付部材と、扉側取付部材を短縮させる方向に付勢する付勢手段とを有しているものである。
【００１９】
これによると、商品収納体を自動販売機本体内に挿入し、内扉を閉じる際、ヒンジ装置の扉側取付部材が付勢手段の付勢力によって自動的に短縮し、この状態で内扉が閉じられる。したがって、内扉を閉じる際、扉側取付部材を容易に短縮することができる。
【００２０】
本第４発明は、内扉を閉じた状態で、扉側取付部材が付勢手段の付勢力により回転半径方向において短縮され、内扉を所定角度まで開く途中で、内扉が所定角度まで開かれた外扉に当接し、内扉と外扉との当接部を支点として、扉側取付部材が付勢手段の付勢力に抗し回転半径方向において伸長するものである。
【００２１】
これによると、外扉を所定角度まで開き、その後、内扉を所定角度まで開く時、内扉が所定角度まで開く途中で外扉に当接し、当接部を支点として、扉側取付部材が付勢手段の付勢力に抗して自動的に伸長する。したがって、内扉を開く際、扉側取付部材を容易に伸長することができる。
【発明の効果】
【００２２】
以上のように本発明によると、扉体の開方向側の一側方に壁等の障害物が存在するような場合でも、内扉を所定角度まで開くことができ、商品収納体を自動販売機本体内から引き出す際、商品収納体が内扉に干渉するのを防止することができるため、商品収納体を確実に引き出すことができる。
【００２３】
また、ヒンジ装置の扉側取付部材を短縮して内扉を閉じることにより、自動販売機本体内の奥行き方向におけるデッドスペースが減少する。これにより、商品を収納するためのスペースが減少するのを防止することができ、自動販売機本体内の奥行きを従来のものと同じにすることができる。
【００２４】
また、内扉を二分割して中折れ式にする必要は無いため、ヒンジ装置の個数の増加を防止することができ、コストアップを抑制するとともに内扉の開閉がスムーズに行える。
【発明を実施するための最良の形態】
【００２５】
以下、本発明における実施の形態を図１〜図１１に基づいて説明する。
図１〜図３に示すように、１は四角形や円形状の商品２（例えば飲料品等）を販売する自動販売機であり、左右一側方に壁５０等の障害物が存在する場所にも据え付け可能に構成されている。自動販売機１は、前面に開口部３を形成した箱形状の自動販売機本体４と、自動販売機本体４の前面に設けられて開口部３を開閉する扉体５とを有している。
【００２６】
自動販売機本体４の内部（庫内）には、複数の商品２を上下に直積みして収納するストッカ７（商品収納体の一例）が複数台横並びに配置されている。各ストッカ７はそれぞれ、スライド機構（図示省略）により支持案内されて、自動販売機本体４の内部に挿入される収納位置Ａ（図３参照）と、自動販売機本体４の前方へ引き出される引き出し位置Ｂ（図５参照）とにわたって、前後方向に出し入れ自在に構成されている。
【００２７】
尚、スライド機構はストッカ７を前後方向において支持案内するガイドレール等で構成されている。各ストッカ７の側方には、商品２をストッカ７内に充填するための充填用開口部８が形成されている。また、各ストッカ７の下部には、最下位の商品２を払い出す商品払出装置（図示省略）が設けられている。
【００２８】
扉体５は同方向に開閉自在な外扉１０と内扉１１とからなる。内扉１１は、断熱性能を有しており、冷却又は加温されている庫内の前面開口部を密閉している。
外扉１０は左右一端部を外扉用ヒンジ装置１４で自動販売機本体４の前端部に回転自在に結合されている。これにより、外扉１０は外扉用ヒンジ装置１４のヒンジ軸１４ａを中心（支点）にして回転し開閉される。尚、図３に示すように、外扉１０を９０°（所定角度の一例）開いた場合、外扉１０の表面１０ａと自動販売機本体４の一側面４ａとが同一面上（面一）になるように構成されている。
【００２９】
図２は、内扉１１の取付構造がわかるように、外扉１０を取り外した状態で側方から見た自動販売機１の縦断面図であって、これによると、内扉１１は左右一端部を上部および下部の内扉用ヒンジ装置１５，１６で自動販売機本体４の前端部に回転自在に結合されている。
【００３０】
このうち下部の内扉用ヒンジ装置１６は、図６〜図９に示すように、ケース側取付部材２０と、扉側取付部材２１と、支点となるヒンジ軸２２とを有している。ケース側取付部材２０は、扉側取付部材２１の下方に位置しており、自動販売機本体４の前端部内側面の下部に取り付けられている。ケース側取付部材２０は上下両端部にそれぞれ水平板部２０ａ，２０ｂを有しており、ヒンジ軸２２の下部は両水平板部２０ａ，２０ｂに挿通されてケース側取付部材２０に保持されている。ヒンジ軸２２の上部は扉側取付部材２１に挿通され、扉側取付部材２１はヒンジ軸２２を中心に回転自在である。尚、ヒンジ軸２２は割りピンやスナップピン等の抜け止め手段（図示省略）によって抜け止めされている。また、丸棒状のストレート形のヒンジ軸２２を用いているが、頭部付きのヒンジ軸２２を用いてもよい。
【００３１】
扉側取付部材２１の回転半径方向Ｃと内扉１１の厚み方向Ｄとが同方向になるようにして、内扉１１の左右一側端が扉側取付部材２１に取り付けられている。また、扉側取付部材２１は、外フレーム２４と内フレーム２５とを有し、回転半径方向Ｃにおいて伸縮自在に構成されている。
【００３２】
図１０（ａ）に示すように、外フレーム２４は、縦板部２４ａと、縦板部２４ａの上下両端に設けられた横板部２４ｂ，２４ｃと、上部横板部２４ｂの先端から下向きに形成された上部突起板部２４ｄと、下部横板部２４ｃの先端から上向きに形成された下部突起板部２４ｅとを有している。縦板部２４ａと上部突起板部２４ｄとの間には上部保持空間２６が形成され、縦板部２４ａと下部突起板部２４ｅとの間には下部保持空間２７が形成されている。また、ヒンジ軸２２は上部および下部横板部２４ｂ，２４ｃに挿通されており、外フレーム２４がヒンジ軸２２を中心に回転自在である。
【００３３】
図１０（ｂ）に示すように、内フレーム２５は、縦板部２５ａと、縦板部２５ａの上部を屈曲して一側方へ突出させた上部嵌め込み部２５ｂと、縦板部２５ａの下部を屈曲して一側方へ突出させた下部嵌め込み部２５ｃと、縦板部２５ａの一部を切り起こして形成した連結板部２５ｄとを有している。縦板部２５ａと連結板部２５ｄとが、ねじ３１，３２により、内扉１１の左右一側端に連結されている。
【００３４】
図９，図１０に示すように、上部嵌め込み部２５ｂが上部保持空間２６に嵌め込まれ、下部嵌め込み部２５ｃが下部保持空間２７に嵌め込まれている。これにより、内フレーム２５は、外フレーム２４に対して回転半径方向Ｃに摺動自在な状態で、外フレーム２４に保持される。図６（ｂ），図７（ｂ）に示すように、内フレーム２５が外フレーム２４から突出することにより、扉側取付部材２１が回転半径方向Ｃにおいて伸長し、また、図６（ａ），図７（ａ）に示すように、内フレーム２５が外フレーム２４の内側に退入することにより、扉側取付部材２１が回転半径方向Ｃにおいて短縮する。
【００３５】
扉側取付部材２１は、扉側取付部材２１を短縮させる方向に付勢する複数の引張コイルばね２９（付勢手段の一例）を有している。各引張コイルばね２９の一端は外フレーム２４の縦板部２４ａに形成された一方の掛止片２４ｆに掛止され、各引張コイルばね２９の他端は内フレーム２５の縦板部２５ａに形成された他方の掛止片２５ｅに掛止されている。
【００３６】
内フレーム２５の縦板部２５ａには、回転半径方向Ｃにおいて外フレーム２４の一方の掛止片２４ｆに当接離間自在なストッパ片２５ｆが設けられ、図６（ａ），図７（ａ）に示すように、内フレーム２５が退入位置Ｇまで移動して外フレーム２４の内側に退入し、扉側取付部材２１が回転半径方向Ｃにおいて短縮した際、ストッパ片２５ｆが一方の掛止片２４ｆに当接することによって、内フレーム２５が退入位置Ｇに位置決めされる。
【００３７】
また、図２，図１１に示すように、上部の内扉用ヒンジ装置１５は、上下一対のケース側取付部材３５，３６と、両ケース側取付部材３５，３６の上下間に位置する扉側取付部材２１と、支点となるヒンジ軸２２とを有している。両ケース側取付部材３５，３６は自動販売機本体４の前端部内側面の上部に取り付けられている。各ケース側取付部材３５，３６は水平板部３５ａ，３６ａを有し、ヒンジ軸２２の上下両端部が水平板部３５ａ，３６ａに挿通されて、ヒンジ軸２２が両ケース側取付部材３５，３６間に設けられている。ヒンジ軸２２は扉側取付部材２１に挿通され、扉側取付部材２１はヒンジ軸２２を中心に回転自在である。
【００３８】
尚、上部の内扉用ヒンジ装置１５の扉側取付部材２１およびヒンジ軸２２は、先に説明した下部の内扉用ヒンジ装置１６の扉側取付部材２１およびヒンジ軸２２と同じ構成を有するものである。
【００３９】
以下、上記構成における作用を説明する。
商品２をストッカ７に充填する場合、先ず、図３に示すように、外扉１０を９０°（所定角度の一例）まで開く。この際、内扉１１は閉じられており、内扉用ヒンジ装置１５，１６の引張コイルばね２９の引張力（付勢力）によってストッパ片２５ｆが一方の掛止片２４ｆに当接し、内フレーム２５が退入位置Ｇに位置決めされているため、図６（ａ），図７（ａ）に示すように、扉側取付部材２１が回転半径方向Ｃにおいて短縮している。
【００４０】
その後、内扉１１を９０°（所定角度の一例）まで開くのであるが、この途中で、図４に示すように、内扉１１が外扉１０の裏側の一側端部に当接する。内扉１１が閉じた状態から外扉１０に当接するまでは、上記引張コイルばね２９の引張力によって扉側取付部材２１が短縮している。
【００４１】
上記のように内扉１１が外扉１０の裏側に当接し、さらに内扉１１を開くことにより、内扉１１と外扉１０との当接部３８を支点として、内フレーム２５が、引張コイルばね２９の引張力に抗して退入位置Ｇから移動し、外フレーム２４から突出する。これにより、図６（ｂ），図７（ｂ）に示すように、扉側取付部材２１が回転半径方向Ｃにおいて自動的に伸長し、回転半径方向Ｃにおけるヒンジ軸２２から内扉１１までの寸法が増大するため、図５に示すように、内扉１１を外扉１０の裏側に添うような位置まで開くことができる。
【００４２】
したがって、扉体５の開方向側の一側方に壁５０等の障害物が存在するような場合でも、内扉１１を９０°まで開くことができ、ストッカ７を収納位置Ａから前方へ引き出す際、ストッカ７が内扉１１に干渉するのを防止することができ、ストッカ７を確実に引き出し位置Ｂまで引き出すことができる。
【００４３】
その後、上記引き出したストッカ７に商品２を充填する。その後、ストッカ７を収納位置Ａまで挿入し、内扉１１を閉じる。この途中で、内フレーム２５が、引張コイルばね２９の引張力によって退入位置Ｇまで移動し、図６（ａ），図７（ａ）に示すように、外フレーム２４の内側へ退入する。これにより、扉側取付部材２１が回転半径方向Ｃにおいて自動的に短縮され、回転半径方向Ｃにおけるヒンジ軸２２から内扉１１までの寸法が減少する。この状態で図３に示すように内扉１１が閉じられるため、従来のヒンジ装置が伸縮しない図１４の構造に比べて、自動販売機本体４内の奥行き方向におけるデッドスペースＳが減少する。これにより、商品２を収納するためのスペースが減少するのを防止することができ、商品収納能力の低下を防止することができるとともに、従来と同じ収納能力を有するストッカ７を用いても自動販売機本体４の奥行寸法を増加させる必要はなく、従来と同じ奥行寸法に保つことができる。
【００４４】
また、内扉１１を二分割して中折れ式にする必要は無いため、内扉用ヒンジ装置１５，１６の個数の増加を防止することができ、コストアップを抑制するとともに内扉１１の開閉がスムーズに行える。
【００４５】
上記実施の形態では、商品２として紙容器（紙パック）飲料を収納するストッカ７を備えた自動販売機１を挙げたが、これに限定されるものではなく、例えば、商品２として缶飲料等を収納するサーペンタイン式の商品収納体を備え且つメンテナンス時に商品収納体を手前側に出し入れ可能な構造の自動販売機１にも適用できる。尚、従来における外扉１０５とヒンジ軸１１１との位置関係は、紙容器飲料用の自動販売機１００については図１２に示すものが適用されており、缶飲料用の自動販売機１００については図１３に示すものが適用されていた。これに対して、上記実施の形態における外扉１０とヒンジ軸１４ａとの位置関係は、図３に示すようになるため、紙容器飲料用の自動販売機１の外扉用ヒンジ装置１４と缶飲料用の自動販売機１の外扉用ヒンジ装置１４とを共通化することも可能である。
【００４６】
上記実施の形態では、所定角度の一例として、外扉１０と内扉１１とを９０°まで開いているが、９０°に限定されるものではなく、ストッカ７を引き出し位置Ｂまで引き出すことが可能な角度であれば、９０°以外の角度を所定角度にしてもよい。
【００４７】
上記実施の形態では、図２に示すように、上部の内扉用ヒンジ装置１５は、上下二枚のケース側取付部材３５，３６を有するが、下部の内扉用ヒンジ装置１６と同様に、一枚のケース側取付部材を有するものでもよい。
【００４８】
また、下部の内扉用ヒンジ装置１６は、一枚のケース側取付部材２０を有するが、上部の内扉用ヒンジ装置１５と同様に、二枚のケース側取付部材を有するものでもよい。
上記実施の形態では、自動販売機１の一側方に、障害物の一例である壁５０が存在しているが、壁５０に限定されるものではなく、例えば別の自動販売機が存在していてもよい。
【図面の簡単な説明】
【００４９】
【図１】本発明の実施の形態における自動販売機の斜視図である。
【図２】同、自動販売機の側方から見た縦断面図である。
【図３】同、自動販売機の横断面図であり、外扉を９０°開いた状態を示す。
【図４】同、自動販売機の横断面図であり、内扉が外扉に当接した状態を示す。
【図５】同、自動販売機の横断面図であり、内扉を９０°開いた状態を示す。
【図６】同、自動販売機の下部の内扉用ヒンジ装置の平面図であり、（ａ）は扉側取付部材が短縮した状態、（ｂ）は扉側取付部材が伸長した状態を示す。
【図７】（ａ）は図６（ａ）におけるＸ１−Ｘ１矢視図、（ｂ）は図６（ｂ）におけるＸ２−Ｘ２矢視図である。
【図８】図６（ａ）におけるＹ１−Ｙ１矢視図である。
【図９】図６（ａ）におけるＺ１−Ｚ１矢視図である。
【図１０】同、自動販売機の内扉用ヒンジ装置の扉側取付部材の外フレームと内フレームの拡大図である。
【図１１】同、自動販売機の上部の内扉用ヒンジ装置の図である。
【図１２】従来の自動販売機の横断面図であり、ストッカを引き出した状態を示す。
【図１３】同、自動販売機の横断面図であり、内扉が外扉に当接してストッカの引き出しに支障が生じている状態を示す。
【図１４】同、自動販売機の内扉用ヒンジ装置の拡大平面図である。
【図１５】同、自動販売機の横断面図であり、内扉用ヒンジ装置の大型化によって奥行き方向におけるデッドスペースが増大した様子を示す。
【符号の説明】
【００５０】
１    自動販売機
２    商品
４    自動販売機本体
５    扉体
７    ストッカ（商品収納体）
１０  外扉
１１  内扉
１５，１６  内扉用ヒンジ装置
２０，３５，３６  ケース側取付部材
２１  扉側取付部材
２２  ヒンジ軸
２９  引張コイルばね（付勢手段）
３８  当接部
Ｃ    回転半径方向
Ｄ    厚み方向
【図１】
2009015402.tif 000003
【図２】
2009015402.tif 000004
【図３】
2009015402.tif 000005
【図４】
2009015402.tif 000006
【図５】
2009015402.tif 000007
【図６】
2009015402.tif 000008
【図７】
2009015402.tif 000009
【図８】
2009015402.tif 000010
【図９】
2009015402.tif 000011
【図１０】
2009015402.tif 000012
【図１１】
2009015402.tif 000013
【図１２】
2009015402.tif 000014
【図１３】
2009015402.tif 000015
【図１４】
2009015402.tif 000016
【図１５】
2009015402.tif 000017